(57)【要約】【課題】パチンコ台をパチンコ島に取り付けるには、先に台枠を取り付け、次いでこの台枠にパチンコ台が開閉自在として取り付けられる。  一方、この取付けに傾斜調整装置を利用して行なわれる場合、パチンコ台の機種の違いやパチンコ島自体の寸法の変化等で台枠の上部枠の上下の位置が変わると、上記の傾斜調整装置での取り付けに支障が生じていた。【解決手段】パチンコ台を台枠に取り付ける傾斜調整装置において、この傾斜調整装置の台枠の取り付け部にユニバーサルジョイントを連結して、台枠の上部枠の上下位置が変化しても、取り付けに支障がないようにして前記問題点の解決を計った。【選択図】図２
2020168341.tif 000002
【特許請求の範囲】
【請求項１】
パチンコ島に取り付けられたパチンコ台の傾斜を調整するパチンコ台の傾斜調整システムであり、
パチンコ島に固定したギヤボックスに回転自在に支承された調整ボルトと、
ギヤボックスに組み込まれ、調整ボルトと螺合し、外周にギヤを一体で設けたフォトインタラプタと、
上記フォトインタラプタのギヤに、１もしくは複数のギヤを介して噛合したステッピンクモーターと、
他方、前部にパチンコ台枠の上部枠を取り付け、後部をユニバーサルジョイントを介して調整ボルトに連結した取り付け部と、
上記ステッピングモーターの制御基板と、
制御基板に接続したコントローラとで構成し、
コントローラでパチンコ台の傾斜値を設定して、ステッピングモーターを駆動し、
フォトインタラプタによって検出されたギヤの回転角データに基づいて、
上記調整ボルトが進退してパチンコ台枠およびパチンコ台枠に取り付けられたパチンコ台の傾斜が調整されることを特徴とする、
パチンコ台の傾斜調整システム。
【請求項２】
前記ギヤボックスは、
止着板を一体で設け、
止着板をパチンコ島の天板の上面に配置して、
天板の下面からネジ止めしてパチンコ島に固定することを特徴とする、
前記請求項１記載のパチンコ台の傾斜調整システム。
【請求項３】
前記上部枠の取付け部は、
逆Ｌ形の取り付け板で構成し、
取り付け板は、水平な前端部を上部枠に止着し、
後端部にはユニバーサルジョイントを設け、
ユニバーサルジョイントを介して、
調整ボルトに連結したことを特徴とする、
前記請求項１記載のパチンコ台の傾斜調整システム。
【請求項４】
前記コントローラは、
傾斜値を５厘単位で表示するディスプレイおよび、
傾斜を増減するスイッチを設けたことを特徴とする、
前記請求項１記載のパチンコ台の傾斜調整システム。
【請求項５】
前記コントローラのディスプレイおよびスイッチは、
左右一対で設けたことを特徴とする、
前記請求項１および請求項４記載のパチンコ台の傾斜調整システム。
【請求項６】
前記コントローラは、
パチンコ島の前面に設け、
パチンコ島の前方より操作することを特徴とする、
前記請求項１、請求項４および請求項５記載のパチンコ台の傾斜調整システム。
【発明の詳細な説明】
【技術分野】
【０００１】  この発明はパチンコ台を、所定の傾斜でパチンコ島に取付ける傾斜調整システムに関する。
【背景技術】
【０００２】  パチンコ台をパチンコ島に設置する場合、パチンコ台の上部が後方に傾斜した角度で取り付けられる。
この角度は、１°以内に規定され、また、パチンコ台によっては推奨されている角度がある。
上記の角度は、パチンコ台前面の下端を支点とした垂線に対して、パチンコ台の前面の上端が水平後方向に移動した距離で表され、例えばこの距離が３分５厘（約１０．６ミリ）の場合、このパチンコ台は、３分５厘で取り付けられているとしている。
パチンコ島は、施工時には予め任意の傾斜で設置されているので、パチンコ台とパチンコ島の双方の前面を面一として取り付ければ、パチンコ台も同様の傾きで設置されることになるが、パチンコ島の傾きは変化しやすく、また、パチンコ台自体に要求される傾きも多様である。【０００３】  上述において、パチンコ台をパチンコ島に取り付けた後に、パチンコ台の傾斜を調整する多様な調整装置が提案されている。
他方、パチンコ台をパチンコ島に取り付けるには、方形のパチンコ台枠をパチンコ島の取り付け区画に配置して、この上部枠と下部枠を取り付けた後に、このパチンコ台枠にパチンコ台を取り付けるものであり、パチンコ台は左側端を支点として開閉自在に取り付けられる。【０００４】  前記のパチンコ台の傾斜調整装置は、パチンコ島に固定した装置本体に対して、パチンコ台枠の上部枠が前後に移動するように取り付けられることで、この上部枠は下部枠を支点として前後に移動調整できる。
また、パチンコ島の下板は、パチンコ台の重量などを原因とする経年的劣化で降下して撓みが発生し、これにともなって上部枠も同様に下降する。
上記において、台枠の上部枠と相対する傾斜調整装置の取り付け部は、取り付け位置を上下に変更できる構成が必要となる。【０００５】  上記の問題を解決する上で、例えば特許文献１が提案されている。
上記は、パチンコ島に固定されたギヤボックスに装置されたステッピングモーターと、このステッピングモーターと同期回転するナットに噛合して、ステッピングモーターの駆動で、前後方向に移動するスライド棹と、このスライド棹に連結されたブラケットとで構成されている。
また、ブラケットは、パチンコ台枠の上部枠を止着した固定板と連結しているので、上記のステッピングモーターの回転で、上部枠は前後に移動してパチンコ台枠の傾斜が調整される。
また、固定板には縦長孔を形成し、この縦長孔に係止ピンを挿通してブラケットと連結することで、固定板を上下移動自在として前述の問題を解決している。
また、この実施例ではブラケットの前後の移動は、パチンコ島の天板に固定されたスライドガイドで水平に案内されるようにしている。
【先行技術文献】
【特許文献】
【０００６】
【特許文献１】特許６１９６００６号
【発明の概要】
【発明が解決しようとする課題】
【０００７】  パチンコ台の傾斜の調整過程において、パチンコ台枠が後方へ傾斜するにともなって、この上部枠は、パチンコ島の天板と平行に相対した関係から、次第に後端部を降下した傾きとなる。
前述の従来実施例では、上部枠を固定した固定板の縦長孔も同様に傾いているので、固定板を上下に移動する場合、固定板が動きにくくなる。
上記の解消にはステッピングモーターを駆動して、ブラケットを前進もしくは後退させることになり、余計な手順が必要であった。
また、パチンコ台枠の後方は、パチンコ玉や札の搬送レール等があるためスペースが限定されており、一方、前述のスライドガイドを含む構成は余計なスペースを必要としていた。
また、パチンコ台枠の上部枠を固定する固定板とスライド棹の連結が、ブラケットを介して行なわれていたが、上記と同様の観点からもこれを直接的に連結できる構成が望まれていた。【０００８】  本発明のパチンコ台の傾斜調整システムは、上記に鑑みてなされたもので、上記の従来問題点の解決を目的としている。
即ち、パチンコ台枠の上部枠の上下位置が変わっても、何ら操作しなくても追随できる固定板の連結手段を提供することを目的としている。
また、前述のスライド棹およびブラケットの移動にあたり、従来備えられていたスライドガイド等の案内手段を不要とすることを目的としている。
また、パチンコ台枠の上枠部を固定する固定板とスライド棹の連結が、ブラケットを介して行なわれていたが、これを直接的に連結できるようにすることを目的としている。
【課題を解決するための手段】
【０００９】  前記問題を解決するため、この発明のパチンコ台の傾斜調整システムは、パチンコ島に取り付けられたパチンコ台の傾斜を調整するパチンコ台の傾斜調整システムであり、パチンコ島に固定したギヤボックスに回転自在に支承された調整ボルトと、ギヤボックスに組み込まれ、調整ボルトと螺合し、外周にギヤを一体で設けたフォトインタラプタと、上記フォトインタラプタのギヤに、１もしくは複数のギヤを介して噛合したステッピンクモーターと、他方、前部にパチンコ台枠の上部枠を取り付け、後部をユニバーサルジョイントを介して調整ボルトに連結した取り付け部と、上記ステッピングモーターの制御基板と、制御基板に接続したコントローラとで構成し、コントローラでパチンコ台の傾斜値を設定して、ステッピングモーターを駆動し、フォトインタラプタによって検出されたギヤの回転角データに基づいて、上記調整ボルトが進退してパチンコ台枠およびパチンコ台枠に取り付けられたパチンコ台の傾斜が調整されるようにした。【００１０】  前記ギヤボックスは、止着板を一体で設け、止着板をパチンコ島の天板の上面に配置して、天板の下面からネジ止めしてパチンコ島に固定するようにした。【００１１】  前記上部枠の取付け部は、逆Ｌ形の取り付け板で構成し、取り付け板は、水平な前端部を上部枠に止着し、後端部にはユニバーサルジョイントを設け、ユニバーサルジョイントを介して、調整ボルトに連結するようにした。【００１２】  前記コントローラは、傾斜値を５厘単位で表示するディスプレイおよび、傾斜を増減するスイッチを設けるようにした。【００１３】  前記コントローラのディスプレイおよびスイッチは、左右一対で設けるようにした。【００１４】  前記コントローラは、パチンコ島の前面に設け、パチンコ島の前方より操作するようにした。
【発明の効果】
【００１５】  この発明のパチンコ台の傾斜調整システムは、前記の構成であるので、パチンコ台枠の上部枠の上下位置が変わっても、固定板が追随して同様に上下位置が変わるので特別に操作を必要としない。
また、前述のスライド棹およびブラケットの移動にあたり、従来備えられていたスライドガイド等の案内手段が不要となった。
また、パチンコ台枠の上枠部を固定する固定板とスライド棹の連結は、ブラケットを介して行なわれていたが、これを直接的に連結できるようにして、設置スペースの確保ならびに部品点数の軽減が計られた。
【図面の簡単な説明】
【００１６】
【図１】パチンコ島の正面図。
【図２】パチンコ台の傾斜調整システムを示すパチンコ島の断面図。
【図３】図２のＡ−Ａ線に沿う平断面図。
【図４】図３のＢ−Ｂ線に沿う断面図。
【図５】上部枠の上下位置を示す説明図。
【図６】上部枠の上下位置を示す説明図。
【図７】上部枠の上下位置を示す説明図。
【図８】コントローラの説明図。
【発明を実施するための形態】
【００１７】  この発明は、パチンコ台の傾斜調整システムに関し、以下、図１〜図８を参照し、この発明を説明する。
【００１８】  図１は、パチンコ島１の正面図を示し、パチンコ島１の天板２と下板３および縦桟４とで構成した区画５には、パチンコ台枠６を配置している。
パチンコ台枠６は、上部枠７および下部枠８を夫々の天板２および下板３に取り付けられ、上部枠７は傾斜調整装置９で取り付けられ、一方、下部枠８は下板３にネジ１０等で取り付けられている。
【００１９】  パチンコ島１の断面を示した図２は、傾斜調整装置９によってパチンコ島１の天板２とパチンコ台枠６の上部枠７との取り付け状態を例示している。
傾斜調整装置９は、ギヤボックス１１に一体で設けた止着板１２を、ネジ１３で天板２に固定してギヤボックス１１をパチンコ島１に固定している。
ギヤボックス１１は、ステッピングモーター１４の駆動でパチンコ島１の前後方向に移動する調整ボルト１５を装置し、調整ボルト１５は、ユニバーサルジョイント１６を介して接続している取付け部１７をビス１８で上部枠７に固定している。
【００２０】  上記の傾斜調整装置９において、ステッピングモーター１４を駆動すると、下部枠８のパチンコ島１の下板３との取付け個所を支点として、他方、上部枠７を前後方向に移動し、パチンコ台枠６に取り付けられたパチンコ台１９の傾斜を調整することができる。
傾斜調整装置９の詳細を図３および図４によって説明すると、ギヤボックス１１に装置されたステッピングモーター１４は、複数のギヤ２０との減速噛合でフォトインタラプタ２１のギヤ２２と噛合している。
フォトインタラプタ２１は、ギヤ２２の内側に６角ナット２３を固定し、この６角ナット２３は、支持板２４およびブッシュ２５で回転自在に支承された調整ボルト１５にネジ込まれている。
ギヤボックス１１は固定した止着板１２の前部を上方に曲折して天板２の上面に配置し、他方、天板２の下面より貫通したネジ１３でパチンコ島１に固定されている。
また、取り付け部１７は、実施例では左右逆Ｌ形の取り付け板２８としているが、これらの形状は限定するものではない。
【００２１】  上記の構成において、ステッピングモーター１４を駆動してフォトインタラプタ２１を回転し、６角ナット２３の回転によって調整ボルト１５は前後方向に移動して上部枠７を同様に前後方向に移動する。
【００２２】  図５〜図７は、パチンコ台枠６の上部枠７の上下位置が上下に移動した場合のユニバーサルジョイント１６の作用を例示している。
上部枠７が、図５の設定位置から図６に下降した場合、ユニバーサルジョイント１６の作用で取り付け部１７は上部枠７の高さに追随して下降する。
また、上部枠７が、図５の設定位置から図７に上がった場合、ユニバーサルジョイント１６の作用で取り付け部１７は上部枠７の高さに追随して上昇する。
上記のユニバーサルジョイント１６は、取り付け部１７および調整ボルト１５双方の連結箇所に、溝２９、２９を形成した連結棹３１、３１を固定し、この溝２９、２９に連結板３２を嵌め、ピン３３、３３で回転自在に連結されている。
【００２３】  図８はコントローラ３４を示し、ＬＣＤモジュール等のディスプレイ３５と、この操作ボタン３６とで構成し、操作ボタン３６の操作でディスプレイ３５には、５厘単位の傾斜値が表示される。
３７は制御基板を示し、コントローラ３４もしくはギヤボックス１１に組み込まれ、また、コントローラ３４は図２で示したように点検開口部３８に設置されて、通常は幕板３９で隠されている。
上記のコントローラ３４の設置位置は、パチンコ島１の前側から操作できるようなパチンコ島１の前面であれば特に限定するものではない。
上記のコントローラ３４、制御基板３７およびフォトインタラプタ２１による回転角度データに基づいてステッピングモーター１４が駆動して傾斜が設定される。
【符号の説明】
【００２４】      １・・・パチンコ島
２・・・天板
３・・・下板
６・・・パチンコ台枠
７・・・上部枠
８・・・下部枠
９・・・傾斜調整装置
１１・・・ギヤボックス
１２・・・止着板
１４・・・ステッピングモーター
１５・・・調整ボルト
１６・・・ユニバーサルジョイント
１７・・・取り付け部
２０・・・ギヤ
２１・・・フォトインタラプタ
２３・・・６角ナット
２８・・・取り付け板
３４・・・コントローラ
３５・・・ディスプレイ
３６・・・操作ボタン
３７・・・制御基板
３８・・・点検開口
３９・・・幕板
【図１】
2020168341.tif 000003
【図２】
2020168341.tif 000004
【図３】
2020168341.tif 000005
【図４】
2020168341.tif 000006
【図５】
2020168341.tif 000007
【図６】
2020168341.tif 000008
【図７】
2020168341.tif 000009
【図８】
2020168341.tif 000010